(57)【要約】【課題】パーツフィーダの設置台数を低減し得るクランプ収容具を提供する。【解決手段】側面に開口部１５ａ（スリット）が形成された断面Ｃ字形の円筒状クランプ１５，１５・・を側面同士が互いに対向するようにして整列させた状態で収容可能な平面視螺旋状の溝部３３が形成されると共に収納されている円筒状クランプ１５を取り出し可能なクランプ入出用孔３４が溝部３３の外周側の一端に形成されたドラム本体３１と、溝部３３の開口部を閉塞するようにしてドラム本体３１に取り付けられた閉塞板とを備え、溝部３３は、その溝幅Ｌ６が円筒状クランプ１５における側面の断面の最大幅よりも狭く、かつ断面の最小幅よりも広くなるように形成されている。【選択図】図７
2006286113.tif 000002
【特許請求の範囲】
【請求項１】
側面にスリットが形成された断面Ｃ字形の円筒状クランプを当該側面同士が互いに対向するようにして整列させた状態で収容可能な平面視螺旋状の溝部が形成されると共に収納されている当該円筒状クランプを取り出し可能な取り出し口が当該溝部の外周側および内周側のいずれかの一端に形成された本体部と、前記溝部の開口部を閉塞するようにして前記本体部に取り付けられた閉塞板とを備え、
前記溝部は、その溝幅が前記円筒状クランプにおける前記側面の断面の最大幅よりも狭く、かつ当該断面の最小幅よりも広くなるように形成されているクランプ収容具。
【請求項２】
圧縮空気を導入可能な圧縮空気導入口が前記溝部の他端に形成されている請求項１記載のクランプ収容具。
【発明の詳細な説明】
【技術分野】
【０００１】
本発明は、例えば磁気テープの一端にリーダーピンを取り付けるための円筒状クランプを複数収容可能に構成されたクランプ収容具に関するものである。
【背景技術】
【０００２】
例えば１リールタイプのテープカートリッジでは、カートリッジケース内に収容されている磁気テープをケース外に引き出すためのリーダーピンが磁気テープの一端に取り付けられている。この場合、この種のテープカートリッジでは、側面にスリットが形成された断面Ｃ字形の円筒状クランプとリーダーピンとの間に磁気テープの一端が挟み込まれるようにしてリーダーピンに円筒状クランプが装着されることで磁気テープにリーダーピンが取り付けられる。例えば、特開２００３−２１７２５８号公報には、テープカートリッジの製造に際して磁気テープの一端にリーダーピンを取り付けるリーダーピン打込装置が開示されている。このリーダーピン打込装置は、開口部（スリット）の開口面を上向きにした状態で円筒状クランプ（同公報におけるクリップ）を吸着保持するクリップ保持溝が形成された打込台と、リーダーピンを吸着保持するリーダーピン保持溝が形成された打込ヘッドと、円筒状クランプおよびリーダーピンを供給する供給部（クリップフィーダ、リーダーピンフィーダおよび搬送経路部）とを備えている。
【０００３】
このリーダーピン打込装置によるリーダーピンの取り付けに際しては、まず、クリップフィーダによって整列させられて搬送経路部を介して供給された円筒状クランプを打込台のクリップ保持溝に吸着保持させると共に、リーダーピンフィーダによって整列させられて搬送経路部を介して供給されたリーダーピンを打込ヘッドのリーダーピン保持溝に吸着保持させる。次いで、開口部を覆うようにして磁気テープを円筒状クランプ上にセットした後に、打込台に向けて打込ヘッドを移動させることによってリーダーピンを開口部から円筒状クランプ内に嵌入（打ち込み）する。これにより、リーダーピンと円筒状クランプとの間に磁気テープが挟み込まれて磁気テープにリーダーピンが取り付けられる。
【特許文献１】特開２００３−２１７２５８号公報（第３頁、第２図）
【発明の開示】
【発明が解決しようとする課題】
【０００４】
ところが、従来のリーダーピン打込装置には、以下の問題点がある。すなわち、このリーダーピン打込装置では、円筒状クランプやリーダーピンをパーツフィーダ（クリップフィーダおよびリーダーピンフィーダ）によって整列させて打込台や打込ヘッドに供給する構成が採用されている。この場合、この種のテープカートリッジは、ケース組立て装置によるカートリッジケースの組立て工程と、テープ製造装置による磁気テープの製造工程とが別個独立して実行され、その後に、巻回装置によってカートリッジケース内のリールに磁気テープが巻回されて磁気テープがカートリッジケース内に収容される。また、上記のリーダーピン打込装置は、巻回装置の一部として機能するように構成され、巻回工程が完了して磁気テープが所定の長さに切断された直後にリーダーピンおよび円筒状クランプの取り付けを実行する。したがって、この種のテープカートリッジを製造するための製造ラインには、巻回装置の台数分だけリーダーピン打込装置を設置する必要がある。また、円筒状クランプ等をパーツフィーダによって整列させると共に搬送経路部を介して打込台等に供給する従来のリーダーピン打込装置では、巻回装置毎にパーツフィーダを設置する必要がある。この場合、磁気テープの巻回工程にある程度時間を要するため、テープカートリッジを大量に製造するためには、複数台の巻回装置を製造ラインに設置する必要がある。このため、従来のリーダーピン打込装置には、巻回装置の設置台数分だけ数多くのパーツフィーダを製造ラインに設置しなければならないという問題点があり、これに起因して、多数のパーツフィーダによって作業スペースが占有されると共に、多数のパーツフィーダを導入することに起因してテープカートリッジの製造コストが高騰しているという問題点もある。
【０００５】
本発明は、かかる問題点に鑑みてなされたものであり、パーツフィーダの設置台数を低減し得るクランプ収容具を提供することを主目的とする。
【課題を解決するための手段】
【０００６】
上記目的を達成すべく本発明に係るクランプ収容具は、側面にスリットが形成された断面Ｃ字形の円筒状クランプを当該側面同士が互いに対向するようにして整列させた状態で収容可能な平面視螺旋状の溝部が形成されると共に収納されている当該円筒状クランプを取り出し可能な取り出し口が当該溝部の外周側および内周側のいずれかの一端に形成された本体部と、前記溝部の開口部を閉塞するようにして前記本体部に取り付けられた閉塞板とを備え、前記溝部は、その溝幅が前記円筒状クランプにおける前記側面の断面の最大幅よりも狭く、かつ当該断面の最小幅よりも広くなるように形成されている。
【０００７】
この場合、本発明に係るクランプ収容具では、圧縮空気を導入可能な圧縮空気導入口が前記溝部の他端に形成されている。
【発明の効果】
【０００８】
本発明に係るクランプ収容具によれば、側面同士が互いに対向するように円筒状クランプを整列させた状態で収容可能な平面視螺旋状の溝部が形成されると共に収納されている円筒状クランプを取り出し可能な取り出し口が溝部の外周側および内周側のいずれかの一端に形成された本体部と、溝部の開口部を閉塞する閉塞板とを備えてクランプ収容具を構成したことにより、このクランプ収容具に複数の円筒状クランプを収容して取付け装置にセットすることで、クランプ収容具から円筒状クランプを取り付け装置に供給することができる。したがって、取付け装置毎にパーツフィーダを設置する必要がなくなるため、テープカートリッジ等の製造ラインに数多くのパーツフィーダを設置することなくテープカートリッジ等を製造することができる。このため、作業スペースを有効に活用することができると共に、テープカートリッジ等の製造コストを十分に低減することができる。この場合、溝部を平面視螺旋状に形成したことにより、単位体積当りに数多くの円筒状クランプを効率よく収容することができると共に、溝部内の円筒状クランプが移動させられる際の引っ掛かりを回避してスムーズに移動させることができる。また、その溝幅が円筒状クランプにおける側面の断面の最大幅よりも狭く、かつ断面の最小幅よりも広くなるように溝部を形成したことにより、溝部内での円筒状クランプの回動を規制することができる結果、スリットの開口面を常に同じ方向に向けた状態で取り出し口から円筒状クランプを取り出すことができる。これにより、リーダーピンに円筒状クランプを装着する際に、スリットの向きを調整する煩雑な作業を不要としつつリーダーピンに円筒状クランプを容易に装着することができる。
【０００９】
また、本発明に係るクランプ収容具によれば、圧縮空気を導入可能な圧縮空気導入口を溝部の他端に形成したことにより、例えばばね部材を用いて溝部内の円筒状クランプを取り出し口に向けて付勢して移動させる構成とは異なり、圧縮空気導入口から圧縮空気が導入された際に、溝部内に収容されている円筒状クランプの数に影響されることなく、常にほぼ一定の力で円筒状クランプを取り出し口に向けて移動させることができる。したがって、溝部内で円筒状クランプが引っ掛かって取り出し口の部位まで移動しない事態が生じるのを回避することができる結果、各円筒状クランプを取り出し口からスムーズに取り出すことができる。また、ばね部材等を収容しない分だけ、数多くの円筒状クランプを溝部内に収容することができる。
【発明を実施するための最良の形態】
【００１０】
以下、本発明に係るクランプ収容具の最良の形態について、添付図面を参照して説明する。
【００１１】
図１に示す製造装置１は、１リールタイプのテープカートリッジ１０（図２参照）を製造する装置であって、テープ製造装置２、ケース組立て装置３、および複数の巻回装置４，４・・を備えて構成されている。この場合、図２に示すように、テープカートリッジ１０は、上ケース１１ａおよび下ケース１１ｂを有するカートリッジケース１１内に収容されたリール１２に磁気テープ１３が巻回されて構成されている。また、磁気テープ１３の一端には、カートリッジケース１１内に収容されている磁気テープ１３をカートリッジケース１１の外に引き出すためのリーダーピン１４が円筒状クランプ１５によって取り付けられている。この場合、図３に示すように、リーダーピン１４は、円柱状の本体部１４ａと、本体部１４ａの両端に形成された頭部１４ｂ，１４ｂと、後述するように装着される円筒状クランプ１５の移動を規制する鍔部１４ｃ，１４ｃとが一例として金属材料で一体形成されている。また、円筒状クランプ１５は、一例として、樹脂材料を用いて射出成形されている。この円筒状クランプ１５は、図４に示すように、側面に開口部１５ａ（スリット）が形成されて全体として断面Ｃ字形に成形され、開口部１５ａの幅Ｌ１がリーダーピン１４における本体部１４ａの直径よりも僅かに狭くなっている。なお、円筒状クランプ１５については、樹脂材料で成形されたもののみならず、金属材料で形成されたものを使用することもできる。
【００１２】
一方、テープ製造装置２は、ベースフィルムの一面に非磁性層や磁性層等を形成する処理と、ベースフィルムの他面にバックコート層等を形成する処理と、塗布処理等が完了した原反（テープカートリッジ１０に収容される状態の幅に切断される以前の磁気テープ１３）を所定の幅に裁断する裁断装置等を備え（図示せず）、リール１２に巻回すべき磁気テープ１３を製造する。なお、テープ製造装置２による磁気テープ１３の製造方法については公知のため、その詳細な説明を省略する。ケース組立て装置３は、上ケース１１ａ、下ケース１１ｂおよびリール用部品などを射出成形する成形機と、例えば超音波溶着法によってリール用部品を溶着してリール１２を製作する溶着機と、カートリッジケース１１内にリール１２やブレーキ部材等の各種部品を収容した状態で上ケース１１ａおよび下ケース１１ｂをねじ止めするねじ止め装置などを備え（図示せず）、磁気テープ１３を巻回すべきリール１２が収容されたカートリッジケース１１を組み立てる。なお、ケース組立て装置３によるカートリッジケース１１の組立て方法については公知のため、その詳細な説明を省略する。
【００１３】
また、図１に示すように、巻回装置４は、巻回機構２１、切断機構２２、取付け機構２３、搬送機構２４，２５および制御部２６を備えている。巻回機構２１は、制御部２６の制御に従ってカートリッジケース１１内のリール１２を回転させることによって磁気テープ１３をリール１２に巻回する。切断機構２２は、巻回機構２１によって所定の長さの磁気テープ１３がリール１２に巻回された際に制御部２６の制御に従って磁気テープ１３を切断する。取付け機構２３は、切断機構２２によって切断された磁気テープ１３の端部にリーダーピン１４および円筒状クランプ１５を取り付ける。搬送機構２４は、図外のリーダーピン収容箱から取付け機構２３にリーダーピン１４を搬送する。搬送機構２５は、クランプ供給ドラム３０（図５，６参照）から円筒状クランプ１５を取り出して取付け機構２３に搬送する。制御部２６は、巻回装置４を総括的に制御する。
【００１４】
一方、クランプ供給ドラム３０は、本発明に係るクランプ収容具に相当し、図５，６に示すように、平面視螺旋状の溝部３３が形成されたドラム本体３１と、ドラム本体３１における溝部３３の開口部を閉塞するようにしてドラム本体３１に取り付けられた閉塞板３２とを備えて構成されている。この場合、ドラム本体３１は、本発明における本体部に相当し、例えば金属を切削加工することによって全体として円柱状に形成され、その一面側に溝部３３が彫り込まれると共に閉塞板３２をねじ止め可能に構成されている。また、ドラム本体３１の溝部３３は、その深さＬ５が円筒状クランプ１５の長さＬ４（図３参照）よりも僅かに深くなるように形成されて、複数の円筒状クランプ１５，１５・・をその側面同士が互いに対向するようにして収容可能に構成されている（図７参照）。さらに、溝部３３の溝幅Ｌ６は、円筒状クランプ１５の最大幅Ｌ２（図４参照）よりも狭く、かつ円筒状クランプ１５の最小幅Ｌ３（図４参照）よりも広くなるように形成されている。これにより、溝部３３内に収容された円筒状クランプ１５は、溝部３３内での回動が規制されつつ、一例として、図７に示すように、開口部１５ａの口縁が溝部３３の内周側の側壁に当接させられた状態で溝部３３内を移動する。
【００１５】
また、図５，６に示すように、溝部３３における外周側の一端には、溝部３３内に円筒状クランプ１５，１５・・を収容する際、および収容されている円筒状クランプ１５，１５・・を溝部３３から取り出す際に円筒状クランプ１５が通過させられるクランプ入出用孔３４（本発明における「取り出し口」の一例）が形成されている。さらに、溝部３３における内周側の一端（本発明における「他端」：「取り出し口」が形成されている側の端部とは反対側の端部）には、エア給排気用孔３５（本発明における「圧縮空気導入口」の一例）が形成されている。この場合、溝部３３内に円筒状クランプ１５，１５・・を収容する際には、エア給排気用孔３５を介して溝部３３内の空気を図示しないエアポンプによって吸引することにより、クランプ入出用孔３４から挿入される円筒状クランプ１５，１５・・が溝部３３の内周側に吸い寄せられて移動する。また、収容された円筒状クランプ１５，１５・・を溝部３３から取り出す際には、エアポンプによって供給される圧縮空気がエア給排気用孔３５から溝部３３内に溝部３３内に導入されることにより、円筒状クランプ１５，１５・・が溝部３３の外周側に押し出されるように移動する。なお、このクランプ供給ドラム３０では、溝部３３の外周側の一端にクランプ入出用孔３４が形成されると共に、溝部３３の内周側の他端にエア給排気用孔３５が形成されているが、本発明はこれに限定されず、溝部３３の内周側の一端にクランプ入出用孔３４を形成すると共に、溝部３３の外周側の他端にエア給排気用孔３５を形成することもできる。
【００１６】
閉塞板３２は、一例として光透過性を有する樹脂材料で円板状に形成され、図６に示すように、ドラム本体３１における溝部３３の開口部を閉塞するようにしてドラム本体３１にねじ止めされている。この場合、光透過性を有する樹脂材料で閉塞板３２を形成することにより、溝部３３内に収容した円筒状クランプ１５，１５・・の数などを目視によって確認することが可能となっている。また、閉塞板３２におけるクランプ入出用孔３４の対向部位には、搬送機構２５が溝部３３内から円筒状クランプ１５を押し出すための押し出しピンを挿入可能な挿入用孔３６が形成されている。
【００１７】
この場合、クランプ供給ドラム３０に対する円筒状クランプ１５，１５・・の装填処理（収容作業）については、クランプ入出用孔３４から円筒状クランプ１５を手作業で１つずつ溝部３３内に挿入することもできるし、専用の装填機（図示せず）を用いて円筒状クランプ１５，１５・・を溝部３３内に順次自動的に収容することもできる。この際に、前述したように、エアポンプを用いてエア給排気用孔３５から溝部３３内の空気を吸引しつつクランプ入出用孔３４から溝部３３内に円筒状クランプ１５を挿入することで、溝部３３の外周側の一端に挿入された（クランプ入出用孔３４から挿入された）円筒状クランプ１５を溝部３３の内周側に向けて順次吸い寄せて移動させることが可能となる。また、前述したように、溝部３３の溝幅Ｌ６が円筒状クランプ１５の最大幅Ｌ２よりも狭く、かつ最小幅Ｌ３よりも広くなるように規定されている。したがって、図７に示すように、クランプ入出用孔３４から溝部３３に円筒状クランプ１５を挿入する際に、開口部１５ａの開口面を溝部３３の内周側に向けた状態で挿入することにより、溝部３３内で円筒状クランプ１５が回動することなく、開口部１５ａの口縁が溝部３３における内周側の側壁に当接した状態が維持されたまま溝部３３の内周側に向けて円筒状クランプ１５を移動させることが可能となっている。
【００１８】
次に、巻回装置４によるテープカートリッジ１０の組み立て方法について説明する。なお、テープ製造装置２による磁気テープ１３の製造、およびケース組立て装置３によるカートリッジケース１１の組み立てについては既に完了しているものとする。
【００１９】
まず、複数のリーダーピン１４，１４・・が収容されたリーダーピン収容箱（図示せず）と、複数の円筒状クランプ１５，１５・・が収容されたクランプ供給ドラム３０とを巻回装置４の所定位置にセットする。次いで、巻回処理開始ボタン（図示せず）を操作する。これにより、巻回機構２１が、制御部２６の制御に従ってカートリッジケース１１内でリール１２を回転させて磁気テープ１３をリール１２におけるハブの周囲に巻回する。この際に、制御部２６は、図示しない検出部からの出力信号に基づいて、リール１２に巻回された磁気テープ１３の長さを監視して、予め規定された長さの磁気テープ１３が巻回された時点で巻回機構２１を制御してリール１２の回転を停止させる。次いで、制御部２６は、切断機構２２を制御して磁気テープ１３を切断させる。続いて、制御部２６は、取付け機構２３を制御して、切断された磁気テープ１３の端部にリーダーピン１４および円筒状クランプ１５を取り付けさせる。この際に、搬送機構２４は、図示しないリーダーピン収容箱から取付け機構２３にリーダーピン１４を搬送する。また、搬送機構２５は、エア給排気用孔３５から溝部３３内に圧縮空気を供給して円筒状クランプ１５，１５・・をクランプ入出用孔３４に向けて移動させると共に、挿入用孔３６から押し出しピンを挿入してクランプ供給ドラム３０から円筒状クランプ１５を１つずつ取り出して取付け機構２３に搬送する。
【００２０】
この場合、図７に示すように、この巻回装置４では、開口部１５ａの口縁が溝部３３における内周側の側壁に当接した状態で各円筒状クランプ１５，１５・・がクランプ供給ドラム３０に収容されている。したがって、搬送機構２５が挿入用孔３６から押し出しピンを挿入して円筒状クランプ１５を押し出す都度、開口部１５ａの開口面が常に同じ方向（この例では、溝部３３の中心）を向いた状態で円筒状クランプ１５がクランプ入出用孔３４から取り出される。これにより、搬送機構２５は、開口部１５ａの開口面が常に同じ方向を向いた状態で円筒状クランプ１５を搬送して取付け機構２３に供給する。一方、取付け機構２３は、搬送機構２４，２５によってリーダーピン１４および円筒状クランプ１５が搬送された際に、一例として、リーダーピン１４の本体部１４ａにおける両鍔部１４ｃ，１４ｃの間に磁気テープ１３の端部を巻き付けた状態を維持しつつ、本体部１４ａに円筒状クランプ１５を装着する。これにより、図４に示すように、リーダーピン１４と円筒状クランプ１５との間に磁気テープ１３が挟み込まれて、磁気テープ１３に対するリーダーピン１４および円筒状クランプ１５の取り付けが完了する。この後、制御部２６は、巻回機構２１を制御してリール１２を回転させて、リーダーピン１４がカートリッジケース１１の所定位置に達するまで磁気テープ１３をカートリッジケース１１内に引き込ませる。これにより、テープカートリッジ１０が完成する。
【００２１】
このように、このクランプ供給ドラム３０によれば、側面同士が互いに対向するように円筒状クランプ１５，１５・・を整列させた状態で収容可能な平面視螺旋状の溝部３３が形成されると共に収納されている円筒状クランプ１５を取り出し可能なクランプ入出用孔３４（取り出し口）が溝部３３の外周側および内周側のいずれかの一端（この例では、外周側の一端）に形成されたドラム本体３１と、溝部３３の開口部を閉塞する閉塞板３２とを備えてクランプ供給ドラム３０を構成したことにより、このクランプ供給ドラム３０に複数の円筒状クランプ１５，１５・・を収容して取付け装置（この例では、取付け機構２３、搬送機構２４，２５および制御部２６）にセットすることで、クランプ供給ドラム３０から円筒状クランプ１５，１５・・を取り付け装置に供給することができる。したがって、取付け装置毎にパーツフィーダを設置する必要がなくなるため、テープカートリッジ１０の製造ラインに数多くのパーツフィーダを設置することなくテープカートリッジ１０を製造することができる。このため、作業スペースを有効に活用することができると共に、テープカートリッジ１０の製造コストを十分に低減することができる。この場合、溝部３３を平面視螺旋状に形成したことにより、単位体積当りに数多くの円筒状クランプ１５，１５・・を効率よく収容することができると共に、溝部３３内の円筒状クランプ１５，１５・・が移動させられる際の引っ掛かりを回避してスムーズに移動させることができる。また、その溝幅が円筒状クランプ１５における側面の断面の最大幅（この例では、最大幅Ｌ２）よりも狭く、かつ断面の最小幅（この例では、最小幅Ｌ３）よりも広くなるように溝部３３を形成したことにより、溝部３３内での円筒状クランプ１５，１５・・の回動を規制することができる結果、開口部１５ａの開口面を常に同じ方向に向けた状態でクランプ入出用孔３４から円筒状クランプ１５を取り出すことができる。これにより、リーダーピン１４に円筒状クランプ１５を装着する際に、開口部１５ａの向きを調整する煩雑な作業を不要としつつリーダーピン１４に円筒状クランプ１５を容易に装着することができる。
【００２２】
また、このクランプ供給ドラム３０によれば、圧縮空気を導入可能なエア給排気用孔３５（圧縮空気導入口）を溝部３３の他端（この例では、内周側の端部）に形成したことにより、例えばばね部材を用いて溝部３３内の円筒状クランプ１５，１５・・をクランプ入出用孔３４に向けて付勢して移動させる構成とは異なり、エア給排気用孔３５から圧縮空気が導入された際に、溝部３３内に収容されている円筒状クランプ１５，１５・・の数に影響されることなく、常にほぼ一定の力で円筒状クランプ１５，１５・・をクランプ入出用孔３４に向けて移動させることができる。したがって、溝部３３内で円筒状クランプ１５，１５・・が引っ掛かってクランプ入出用孔３４の部位まで移動しない事態が生じるのを回避することができる結果、各円筒状クランプ１５，１５・・をクランプ入出用孔３４からスムーズに取り出すことができる。また、ばね部材等を収容しない分だけ、数多くの円筒状クランプ１５，１５・・を溝部３３内に収容することができる。
【００２３】
なお、本発明は、上記の構成に限定されない。例えば、上記のクランプ供給ドラム３０では、ドラム本体３１が円柱状に形成されているが、ドラム本体３１の形状は特に限定されず、例えば角柱状のドラム本体に平面視螺旋状の溝部３３を形成することもできる。また、開口部１５ａの口縁を溝部３３における内周側の側壁に当接させるようにして複数の円筒状クランプ１５，１５・・を溝部３３内に収容する例について上記したが、開口部１５ａの口縁を溝部３３における外周側の側壁に当接させるようにして複数の円筒状クランプ１５，１５・・を溝部３３内に収容してもよい。
【図面の簡単な説明】
【００２４】
【図１】製造装置１の構成図である。
【図２】磁気テープ１３の端部を引き出した状態のテープカートリッジ１０の側面図である。
【図３】リーダーピン１４および円筒状クランプ１５の外観斜視図である。
【図４】磁気テープ１３の一端にリーダーピン１４を取り付けた状態の円筒状クランプ１５の断面図である。
【図５】クランプ供給ドラム３０の平面図である。
【図６】図５におけるＡ−Ａ線断面図である。
【図７】円筒状クランプ１５，１５・・を収容した状態のクランプ供給ドラム３０の平面図である。
【符号の説明】
【００２５】
１０  テープカートリッジ
１１  カートリッジケース
１３  磁気テープ
１４  リーダーピン
１５  円筒状クランプ
１５ａ  開口部
３０  クランプ供給ドラム
３１  ドラム本体
３２  閉塞板
３３  溝部
３４  クランプ入出用孔
３５  エア給排気用孔３５
３６  挿入用孔
Ｌ２  最大幅
Ｌ３  最小幅
Ｌ６  溝幅
【図１】
2006286113.tif 000003
【図２】
2006286113.tif 000004
【図３】
2006286113.tif 000005
【図４】
2006286113.tif 000006
【図５】
2006286113.tif 000007
【図６】
2006286113.tif 000008
【図７】
2006286113.tif 000009